(57)【特許請求の範囲】
【請求項１】
後面部（１１）と底面部（１２）と両側面部（１３ａ，１３ｂ）と上面部（１４）とで開口（１５）を有した箱状の鞄本体（１０）を構成し、この鞄本体（１０）の開口（１５）の一辺部位には該開口（１５）を塞ぐ蓋体（２０）をヒンジ連結してなる鞄において、
上記鞄本体（１０）の内面には、その開口（１５）の縁に沿って、鞄本体（１０）の内側に向けて突出し、さらにその突出先端側が開口端側に向かって湾曲又は折れ曲がって上部が開口する断面欠円状の開口上端が狭まる形状となした凹部（４７ａ）を有した内張支承レール部（４７）を設け、
可撓性の生地で構成された後面部（３１）と底面部（３２）と両側面部（３３ａ，３３ｂ）と上面部（３４）とで開口（３５）を有し、前記鞄本体（１０）より一回り小さくて縫合可能な可曲性材料で形成された内張体（３０）を形成し、該後面部(３１)と底面部(３２)と両側面部（３３ａ，３３ｂ）との角境界部位に玉縁（３６）をそれぞれ設け、少なくとも該内張体の開口（３５）の端部は一定幅を可曲性生地部（３０ａ）で構成し、この可曲性生地部（３０ａ）を前記内張支承レール部（４７）の凹部（４７ａ）内に内張支持リング（４９）と共に嵌め込んで、前記該内張体（３０）を鞄本体（１０）内に着脱可能に取り付けたことを特徴とする鞄。
【発明の詳細な説明】
【０００１】
【発明の属する技術分野】
本発明は、鞄に関するもので、特に、スーツケース又はキャスターバッグと一般的に称されている比較的大型なものに適し、又は、本体が合成樹脂製のものに適した鞄に関するものである。
【０００２】
【従来の技術】
従来、この種の鞄は、図１に示したスーツケースのように、後面部１１と底面部１２と両側面部１３ａ，１３ｂと上面部１４とで開口１５を有した箱状の鞄本体１０を構成し、この鞄本体１０の開口１５の一辺部位（図１例では側面部１３ｂの開口辺部）には該開口１５を塞ぐ蓋体２０をヒンジ連結してなるのが一般的である。
【０００３】
前記蓋体２０は、図示例では、鞄本体１０と略同形となし、前面部２１と底面部２２と両側面部２３ａ，２３ｂと上面部２４とで開口２５を有した箱状となしてあるが、この蓋体２０は、図示例とは異なり、平面状のものを使用してもよい。そして、上記鞄本体１０と蓋体２０とは、スーツケースの場合は硬質な合成樹脂で成型されて構成されるが、可曲性の生地材と針金や帯鉄材とで箱状の形状を保持するように構成してもよい。なお、蓋体２０は針金や帯鉄材を使用せず可曲性の生地材のままでもよいものである。
【０００４】
上記鞄本体１０には把手１６，１６と蓋係止具１７，１７とキャスター１８，１８が取り付けられるが、キャスターバックの場合はさらに引き出し式の引き手（図示せず）が取り付けられるのが一般的である。
【０００５】
上記鞄本体１０と蓋体２０とのヒンジ連結は、図示例では蝶番（図示せず）が使用されているが、鞄本体１０と蓋体２０との一部を可曲性の生地で連結し、この連結生地部が蝶番を兼ねるようにしてもよい。なお、従来は、図１の蓋体２０の代わりに、開口１５部位を予め可曲性の生地で塞ぎ、この可曲性生地にはコの字状に切溝を入れ、この切溝部にはスライドファスナーで着脱可能に連結して、該コの字状の切溝の欠部がヒンジ連結部とし、切溝内を開閉可能な蓋部となしたものがあるが、無論、この方式の鞄でもよい。
【０００６】
さらに、上記蓋係止具１７，１７は、図示例では錠止装置を使用し、蓋体２０はこの錠止装置に錠止されるフック体２７，２７を設けてあるが、この蓋係止具１７，１７とフック体２７，２７は、鞄本体１０の開口部１５を蓋体２０で開閉可能に閉じられるものであれば従来公知の各種のものが使用でき、キャスターバッグでは前記したと同様に、平面的な蓋体２０はその一辺を可曲性生地で鞄本体１０にヒンジ連結し、残りの三辺部位をスライドファスナーで着脱可能に該鞄本体１０に連結するようにしてある。
【０００７】
上記のような鞄は、長期旅行には欠かせないものであるが、大型で強靱に製造されているので、一家庭に複数個必要な例は少なく、家族の者が使い回すことは普通行われるもので、さらには、海外旅行に行く際に知り合い又はリース会社より借りたりすることも合理的と判断され、鞄の貸し借りは保存スペースの確保の問題点、資源保護等で大いに推奨される方法である。
【０００８】
しかし、せっかく強靱に製造した鞄でも、同じ鞄を長期間使用すると当然汚れが生じ、汚れた鞄内に収納物を入れるのはためらわれるとの指摘がなされ、同じ鞄を効率的に複数の人が使用することの大きな支障原因となっている。
【０００９】
【発明が解決しようとする課題】
そこで本発明は、上記問題点に鑑みなされたもので、内張を交換、洗濯可能となすことで、複数の人が衛生的に、気持ちよく使用できる鞄を提供することを課題とするものである。
【００１０】
【００１１】
【００１２】
【００１３】
【００１４】
【００１５】
【００１６】
【００１７】
【００１８】
【００１９】
【００２０】
【課題を解決するための手段】
本発明は、後面部１１と底面部１２と両側面部１３ａ，１３ｂと上面部１４とで開口１５を有した箱状の鞄本体１０を構成し、この鞄本体１０の開口１５の一辺部位には該開口１５を塞ぐ蓋体２０をヒンジ連結してなる鞄において、上記鞄本体１０の内面には、その開口１５の縁に沿って、鞄本体１０の内側に向けて突出し、さらにその突出先端側が開口端側に向かって湾曲又は折れ曲がって上部が開口する断面欠円状の開口上端が狭まる形状となした凹部４７ａを有した内張支承レール部４７を設け、可撓性の生地で構成された後面部３１と底面部３２と両側面部３３ａ，３３ｂと上面部３４とで開口３５を有し、前記鞄本体１０より一回り小さくて縫合可能な可曲性材料で形成された内張体３０を形成し、該後面部３１と底面部３２と両側面部３３ａ，３３ｂとの角境界部位に玉縁３６をそれぞれ設け、少なくとも該内張体の開口３５の端部は一定幅を可曲性生地部３０ａで構成し、この可曲性生地部３０ａを前記内張支承レール部４７の凹部４７ａ内に内張支持リング４９と共に嵌め込んで、前記該内張体３０を鞄本体１０内に着脱可能に取り付けたことを特徴とする。
【００２１】
本発明は、必要時に内張体３０を交換又は洗濯できる作用を有し、ファスナー片４１、４２の着脱で内張体３０を鞄本体１０に着脱できる作用を有する。なお、ファスナー片４１、４２による連結は全周に渡って行え、略連続状に連結されるため、曲部（コーナー部位）をも容易・確実に連結できる。それ故、本発明は、内張体３０には何ら加工を施すことがなく、単に該内張体３０の開口３５部の可曲性生地部３０ａを内張支承レール部４７の凹部内に内張支持リング４９と共に嵌め込むことで、該内張体３０を着脱可能に装着できる作用を呈するものである。
【００２２】
【実施例】
本発明の実施例を、添付図面を参照して詳細に説明する。図中、１０が鞄本体で、この鞄本体１０は、後面部１１と底面部１２と両側面部１３ａ，１３ｂと上面部１４とで開口１５を有した箱状に構成してなる。この鞄本体１０は、前記したように箱形に構成されるもので有れば従来公知な各種素材、各種形状のものが使用できる。そして、この鞄本体１０の開口１５の一辺部位には該開口１５を塞ぐ蓋体２０をヒンジ連結してなるのは従来と同じである。
【００２３】
そして、本発明は、上記鞄本体１０内には、後面部３１と底面部３２と両側面部３３ａ，３３ｂと上面部３４とで開口３５を有し、前記鞄本体１０より一回り小さく形成した内張体３０を、該鞄本体１０内に着脱可能に取り付けてある。
【００２４】
一般的に、本発明のような鞄には内張体３０が取り付けられるのが通常で、従来法としてはこの内張体３０は、所定の形状に縫製したものを用意しこれを鞄本体１０の内面に糊着して取り付けるのが一般的である。そして、この内張体３０の端部は鞄本体１０の開口縁に嵌着する縁レール体１９と鞄本体１０との内面との間に差し込んでなる。また、別の内張体３０としては、鞄本体１０の各内面に適合する基板を用意し、この基板の表面を内張用生地で予め覆い、この基板を各面に糊着する方法も行われている。また、鞄本体１０が主として柔軟性の生地で縫製されて構成されている場合は、予め各表生地に内張生地を重ねたもので該鞄本体１０を縫製するようになしている。
【００２５】
しかし、従来のこの種内張作業は、複雑な内面形状に沿って内張生地を貼付しないと皺等が生じて体裁が悪くなるので、鞄製造工程で最も注意を要する困難な作業である。そして、一度取り付けた内張体３０は、取り外し交換ができないので、内張体３０を汚した場合は、そのまま使用せざるを得ないでいる。そこで、本発明は該内張体３０を着脱可能とすることで、該内張体３０を交換又は洗濯可能となしたものである。
【００２６】
そして、該内張体３０を着脱可能となしたところ、該内張体３０は鞄本体１０の内面の全面に常に密着するようになすことは困難であったが、それほど体裁が悪化するものではなく、内張体３０が交換できる機能性から十分受け入れられるものであった。そして、内張体３０を取り除くと、合成樹脂製等の鞄本体１０の再生利用が容易となり、最近の利用者には社会的要求の十分理解され支持されるものであった。
【００２７】
上記内張体３０は、通常、可曲性の生地で構成され、後面部３１と底面部３２と両側面部３３ａ，３３ｂと上面部３４とで開口３５を有し、前記鞄本体１０より一回り小さく形成（図７参照）してある。そして、後面部３１と底面部３２と両側面部３３ａ，３３ｂとの各境界部位は、適所を一体連通し（一連の生地で製造し）適所を縫合すればよいが、該各面部の境界部位に図７に示すような玉縁３６を設けると保型性が向上して体裁がよいものである。
【００２８】
上記内張体３０は鞄本体１０内に取り付けるとしているが、無論、蓋体２０内にも着脱可能に取り付けてもよく、鞄本体１０と蓋体２０との両内張体３０，３０は、両者のヒンジ連結部位で可曲性連結生地３０ａで一体的に連結するのもであってもよい。また、この内張体３０には仕切板３０ｂ、仕切帯３０ｃ等を連結装着しておいてもよい。
【００２９】
次に、本発明の第２の発明について説明する。本発明は、後面部１１と底面部１２と両側面部１３ａ，１３ｂと上面部１４とで開口１５を有した箱状の鞄本体１０を構成し、この鞄本体１０の開口１５の一辺部位には該開口１５を塞ぐ蓋体２０をヒンジ連結してなる鞄において、上記鞄本体１０の内面には、その開口１５の縁に沿ってスライドファスナーの一方側ファスナー片４１を取り付けている。
【００３０】
上記一方側ファスナー片４１の取付はそのテープ部４１ａを鞄本体１０の内面に糊着したり、鞄本体１０の生地内に一体埋入したりすればよく、無論、鋲着や溶着や縫着等が可能な場合には、これら従来公知手段で固定して取り付ければよい。そして、図示例では、この一方側ファスナー片４１は直接鞄本体１０には取り付けず、該鞄本体１０の開口１５の縁に取り付けられる縁レール体１９に取り付けてなるもので、直接又は間接的に鞄本体１０に取り付ければよい。
【００３１】
そして、後面部３１と底面部３２と両側面部３３ａ，３３ｂと上面部３４とで開口３５を有し、前記鞄本体１０より一回り小さい内張体３０を形成し、この内張体の開口３５の端部に沿っては前記一方側ファスナー片４１に、噛合可能に着脱できる他方側ファスナー片４２を取り付け、両ファスナー片４１，４２の着脱で該内張体３０を鞄本体１０内に着脱可能に取り付けてなる。
【００３２】
上記内張体３０は、縫合可能な可曲性材料が通常使用されるので、他方側ファスナー片４２は、そのテープ部４２ａを内張体３０の縁に沿って縫着して取り付ければよい。尚、この両ファスナー片４１，４２は、各務歯がスライダーで着脱可能となすのは無論であるが、下留め金具等で両ファスナー片４１，４２を分離できないように連結してはいないもの、即ち、両ファスナー片４１，４２は完全に分離できるものが使用される。
【００３３】
上記両ファスナー片４１，４２は、織り布製のテープ部４１ａ，４２ａに、金属製又は樹脂製の務歯４１ｂ，４２ｂ（一方の務歯４２ｂは、図２の奥方向にあって、両務歯４１ｂ，４２ｂは、図奥手前方向に順次交互に並ぶものである。）と称する係合歯片を並置してなるので、意外と折れ曲がった部位での開閉にも対処でき、鞄本体１０の開口内周面に沿って一連の両ファスナー片４１，４２を、その略全周に渡って取り付けても、十分その機能が発揮できるものである。なお、ファスナー片４１，４２による連結は非常に大きな連結力を有することが知られており、高い信頼性を有して内張体３０を鞄本体１０内に取り付けられるものである。また、このファスナー片４１，４２は衣服等でも使用され、通常の方法で洗濯可能なことは実証されている。
【００３４】
次に、本発明の第３の実施例について説明する。本発明は、前記請求項２の両ファスナー片４１，４２を、鞄本体１０の内面に取り付けた一方側面ファスナー４３と、内張体３０に取り付けた他方側面ファスナー４４とに代えたものである。
【００３５】
両面ファスナー４３，４４は、多数の鍵状突起を有した一方側面ファスナー４３と、多数のループ状突起を有した他方側面ファスナー４４（一方側と他方側とは突起の構成が前記のように異なるものであればどちらを一方側と称しても差し支えない。）とからなる、相互に係合できるものが使用される。そして、テープ状の一方側面ファスナー４３を鞄本体１０の内周面全周に、テープ状の他方側面ファスナー４４を内張体３０の開口部外周全周に取り付ければよいが、必ずしも全周に渡って一連に取り付ける必要性はなく、部分的に所定距離は離して複数個に並置するように取り付けてもよいものである。
【００３６】
上記面ファスナー４３，４４は、平面的であるので本発明に利用するに適しており、図３例のように縁レール体１９の下方にこの両面ファスナー４３，４４が位置するようになすと、その厚みは何ら支障となるものではなく、体裁良く内張体３０を装着することができるものである。
【００３７】
次に、本発明の第４の実施例について説明する。本発明は、前記第３実施例の両面ファスナー条４３，４４を、鞄本体１０の内面に取り付けた一方側スナップ体４５，４５，４５・・・と、内張体３０に取り付けた他方側スナップ体４６，４６，４６・・とに代えたものである。このスナップ体４５，４６は、従来公知なものが使用され、鞄本体の開口１５の内周に沿って、所定間隔を有して複数対が使用される。なお、このスナップ体４５，４６は、意外と厚手（高さが高く）に構成されているので、より高さの高い雌型側を、図４のように、縁レール体１９内にその大部分が埋入するように構成すると、突出部が少なくて都合がよいものである。
【００３８】
なお、前記もしたように、このスナップ体４５，４６はその構成にもよるが、大きな連結力が得られるもので、内張体３０に仕切板３０ｂ等を取り付けて局所的に大きな力が加わる場合に適した連結手段となり得る。また、このスナップ体４５，４６は、前記した第２実施例ないし第３実施例の連結手段と併用して、連結力の局所的補強を行うのに利用してもよい。
【００３９】
次に、本発明の第５の実施例について説明する。本発明は、後面部１１と底面部１２と両側面部１３ａ，１３ｂと上面部１４とで開口１５を有した箱状の鞄本体１０を構成し、この鞄本体１０の開口１５の一辺部位には該開口１５を塞ぐ蓋体２０をヒンジ連結してなる鞄において、上記鞄本体１０の内面には、その開口１５の縁に沿って、鞄本体１０の内側に向けて突出し、その突出先端側が開口端側に向かって湾曲又は折れ曲がる内張支承レール部４７を設けてある。この内張支承レール部４７は、鞄本体１０に一体成形してもよいが、別途製造した内張支承レール部４７を鞄本地に１０に取り付けるようになしてもよい。また、この内張支承レール部４７は前記した縁レール体１９（又は、図示しない補強枠体等）に一体連設したり、該縁レール１９（又は、図示しない補強枠体等）に別途製造したものを取り付けるようになしてもよい。なお、この内張支承レール部４７は、内張体３０を支承するものであるから、荷重で変形しない強度が必要で、通常、樹脂や金属で構成される。
【００４０】
そして、後面部３１と底面部３２と両側面部３３ａ，３３ｂと上面部３４とで開口３５を有し、前記鞄本体１０より一回り小さい内張体３０を形成し、この内張体の開口３５の端部には、弾性材で構成され基端部を内張体３０に沿わせる縫い代面部４８ａとなしこの縫い代面部４８ａの先端に逆Ｕ字状に折り返した断面フック状部４８ｂを連設してなるフック体４８を縫着し、このフック状体４８を前記内張支承レール部４７に係合して、前記該内張体３０を鞄本体１０内に着脱可能に取り付けてある。
【００４１】
すなわち、上記フック体４８は、図５に示すように、ゴム又は弾性を有した樹脂で、断面略７の字形状の帯体となし、その上部フック状部４８ｂを内張体３０の外側に向け、下部縫い代面部４８ａを内張体３０に縫着してある。そして、上記フック状部４８ｂ内に内張支承レール部４７の上方に向かう立壁部が圧入するようになして、該フック状体４８を前記内張支承レール部４７に係合し、前記該内張体３０を鞄本体１０内に着脱可能に取り付けてある。
【００４２】
次に、本発明の第６の実施例について説明する。本発明は、後面部１１と底面部１２と両側面部１３ａ，１３ｂと上面部１４とで開口１５を有した箱状の鞄本体１０を構成し、この鞄本体１０の開口１５の一辺部位には該開口１５を塞ぐ蓋体２０をヒンジ連結してなる鞄において、上記鞄本体１０の内面には、その開口１５の縁に沿って、鞄本体１０の内側に向けて突出し、その突出先端側が開口端側に向かって湾曲又は折れ曲がる内張支承レール部４７を設けてあるのは前記第５実施例と同じである。
【００４３】
しかし、この内張支承レール部４７は、その凹部４７ａは、上部が開口する断面欠円状等の開口上端が狭まる形状となして、後記する内張支持リング４９が脱落しないようになすのが望ましいものである。
【００４４】
そして、後面部３１と底面部３２と両側面部３３ａ，３３ｂと上面部３４とで開口３５を有し、前記鞄本体１０より一回り小さい内張体３０を形成し、少なくとも該内張体の開口３５の端部は一定幅を可曲性生地部３０ａで構成し、この可曲性生地部３０ａを前記内張支承レール部４７の凹部内に嵌め込まれる内張支持リング４９と共に該内張支承レール部４７の凹部内に嵌め込で、前記該内張体３０を鞄本体１０内に着脱可能に取り付けてなる。この内張支承リング４９はゴムや合成樹脂等の弾性材で構成され前記内張支承レール部４７の凹部４７ａ内に圧入ぎみに嵌め込むことのできるリング状に構成してあるが、必ずしもリング（ループ状）とする必要性はなく、紐状に構成してもよいものである。
【００４５】
【発明の効果】
本発明は、内張体３０が交換でき、常に、衛生的な内張体３０を有した鞄を提供できるものである。
【００４６】
本発明は、内張体３０を着脱可能に鞄本体１０に取り付けることができ、高い信頼性が得られ易く、且つ、この内張体３０は縫製のみで製造でき、手軽に交換・洗濯のできる内張体３０が交換可能な鞄を提供できるものである。
【００４７】
なお、大型な鞄、合成樹脂製の鞄は、不要となった場合の処分が、今後とも大きな社会的問題となるものであるが、内張体３０を取り外せるようになすことで、一歩、資源の有効再利用に貢献できる効果を有するものである。
【図面の簡単な説明】
【図１】本発明の一実施例を示すもので、蓋体を開いた斜視図である。
【図２】Ａ−Ａ線部位の断面図である。
【図３】別の実施例におけるＡ−Ａ線部位の断面図である。
【図４】さらに、別の実施例におけるＡ−Ａ線部位の断面図である。
【図５】さらに、別の実施例におけるＡ−Ａ線部位の断面図である。
【図６】さらに、別の実施例におけるＡ−Ａ線部位の断面図である。
【図７】本発明に使用される内張体の一実施例の斜視図である。
【符号の説明】
１０      鞄本体
１１      後面部
１２      底面部
１３ａ    側面部
１３ｂ    側面部
１４      上面部
１５      開口
２０      蓋体
３０      内張体
３０ａ    可曲性生地部
３１      後面部
３２      底面部
３３ａ    側面部
３３ｂ    側面部
３４      上面部
３５      開口
４１      一方側ファスナー片
４２      他方側ファスナー片
４３      一方側面ファスナー
４４      他方側面ファスナー
４５      一方側スナップ体
４６      他方側スナップ体
４７      内張支承レール部
４７ａ    凹部
４８      フック体
４８ａ    縫い代面部
４８ｂ    断面フック状部
４９      内張支持リング
【図１】
0003623461.tif 000002
【図２】
0003623461.tif 000003
【図３】
0003623461.tif 000004
【図４】
0003623461.tif 000005
【図５】
0003623461.tif 000006
【図６】
0003623461.tif 000007
【図７】
0003623461.tif 000008